(57)【要約】【課題】用紙幅方向端部の白抜けを抑えることを目的とする。【解決手段】制御装置は、現像ローラの温度が第１所定値以上であるときに、現像バイアスの交流成分の振幅を第１規定値とする第１モードを実行し、現像ローラの温度が第１所定値よりも低いときに、現像バイアスの交流成分の振幅を第１規定値よりも大きな第２規定値とする第２モードを実行する。【選択図】図４
2012163592.tif 000002
【特許請求の範囲】
【請求項１】
静電潜像が形成される感光体と、
現像剤を担持するとともに、前記感光体に接触する現像ローラと、
前記現像ローラから前記感光体に現像剤を供給させるために、直流成分と交流成分とが重畳されてなる現像バイアスを前記現像ローラに印加する制御装置と、を備える画像形成装置であって、
前記制御装置は、
前記現像ローラの温度が第１所定値以上であることを条件として、現像バイアスの交流成分の振幅を第１規定値とする第１モードを実行し、前記現像ローラの温度が第１所定値よりも低いことを条件として、現像バイアスの交流成分の振幅を前記第１規定値よりも大きな第２規定値とする第２モードを実行することを特徴とする画像形成装置。
【請求項２】
前記制御装置は、
前記条件に加え、装置本体外の湿度が第２所定値以上であることを条件として前記第１モードを実行し、装置本体外の湿度が第２所定値よりも低いことを条件として前記第２モードを実行するように構成されていることを特徴とする請求項１に記載の画像形成装置。
【請求項３】
前記制御装置は、
前記条件に加え、前記現像ローラの回転速度が第３所定値より低いことを条件として前記第１モードを実行し、前記現像ローラの回転速度が第３所定値以上であることを条件として前記第２モードを実行するように構成されていることを特徴とする請求項１または請求項２に記載の画像形成装置。
【請求項４】
ユーザによって操作されることで、画像形成装置のステータスを第１状態と第２状態とに切替可能な選択スイッチが設けられ、
前記制御装置は、
前記条件を判断する前に、前記ステータスが前記第１状態および前記第２状態のいずれの状態であるかを判断し、前記ステータスが第１状態であることを条件として前記第１モードを実行し、前記ステータスが前記第２状態であることを条件として前記第２モードを実行するように構成されていることを特徴とする請求項１〜請求項３のいずれか１項に記載の画像形成装置。
【請求項５】
静電潜像が形成される感光体と、
現像剤を担持するとともに、前記感光体に接触する現像ローラと、
記録シート上に転写した現像剤像を熱定着する定着装置と、
前記現像ローラから前記感光体に現像剤を供給させるために、直流成分と交流成分とが重畳されてなる現像バイアスを前記現像ローラに印加する制御装置と、を備える画像形成装置であって、
前記制御装置は、
現像バイアスの交流成分の振幅を第１規定値とする第１モードと、現像バイアスの交流成分の振幅を前記第１規定値よりも大きな第２規定値とする第２モードとを切替可能に構成され、
前記定着装置の熱源がＯＦＦとなるモードから印字モードに移行することを条件として、前記第２モードを実行することを特徴とする画像形成装置。
【請求項６】
前記第１規定値が０であることを特徴とする請求項１〜請求項５のいずれか１項に記載の画像形成装置。
【請求項７】
前記制御装置は、前記第２モードを所定時間の間だけ実行することを特徴とする請求項１〜請求項６のいずれか１項に記載の画像形成装置。
【請求項８】
前記制御装置は、前記第２モードを所定枚数分だけ実行することを特徴とする請求項１〜請求項６のいずれか１項に記載の画像形成装置。
【請求項９】
前記制御装置は、前記現像ローラの回転回数が所定値になるまでの間だけ前記第２モードを実行することを特徴とする請求項１〜請求項６のいずれか１項に記載の画像形成装置。
【発明の詳細な説明】
【技術分野】
【０００１】
本発明は、静電潜像が形成される感光体に対して、現像剤を担持する現像ローラが接触して現像剤を供給する画像形成装置に関する。
【背景技術】
【０００２】
従来、静電潜像が形成される感光ドラムに現像ローラが接触した状態で、現像ローラから感光ドラムに現像剤が供給される画像形成装置が知られている（特許文献１参照）。この技術では、通常、直流の電圧を現像ローラに印加することで、現像ローラから感光ドラムに現像剤が移動するようになっている。
【先行技術文献】
【特許文献】
【０００３】
【特許文献１】特開２００７−９３９５０号公報
【発明の概要】
【発明が解決しようとする課題】
【０００４】
しかしながら、前述した技術において、例えば現像ローラの温度が低くなると、現像ローラが硬くなって感光ドラムへの追従性が悪くなり、現像ローラの両端部が部分的に感光ドラムから離れる場合がある。この場合には、現像ローラの両端部で保持した現像剤が、離れた感光ドラムに移り難くなり、用紙の幅方向端部が部分的に印字されない現象（以下、「用紙幅方向端部の白抜け」とも呼ぶ。）が起こるといった問題があった。
【０００５】
そこで、本発明は、用紙（記録シート）幅方向端部の白抜けを抑えることができる画像形成装置を提供することを目的とする。
【課題を解決するための手段】
【０００６】
前記課題を解決する本発明は、静電潜像が形成される感光体と、現像剤を担持するとともに、前記感光体に接触する現像ローラと、前記現像ローラから前記感光体に現像剤を供給させるために、直流成分と交流成分とが重畳されてなる現像バイアスを前記現像ローラに印加する制御装置と、を備える画像形成装置であって、前記制御装置は、前記現像ローラの温度が第１所定値以上であることを条件として、現像バイアスの交流成分の振幅を第１規定値とする第１モードを実行し、前記現像ローラの温度が第１所定値よりも低いことを条件として、現像バイアスの交流成分の振幅を前記第１規定値よりも大きな第２規定値とする第２モードを実行することを特徴とする。
【０００７】
本発明によれば、現像ローラの温度が第１所定値よりも低いときには、現像バイアスの交流成分の振幅を第１規定値よりも大きな第２規定値とするので、第１所定値よりも低い低温度環境下において現像ローラの両端部が部分的に感光ドラムから離れた場合であっても、振幅の大きな交流成分を有する現像バイアスによって現像ローラの両端部から離れた感光ドラムに対して公知のジャンピング現像方式を利用して現像剤を飛ばして確実に移動させることができる。ここで、ジャンピング現像方式とは、現像ローラと感光体とが接触しない構成において行う現像方式であり、この方式においては現像ローラに交流の電圧を印加することで現像ローラから離れた感光体に現像剤を飛ばして移動させることが可能となっている。
【０００８】
また、本発明は、静電潜像が形成される感光体と、現像剤を担持するとともに、前記感光体に接触する現像ローラと、記録シート上に転写した現像剤像を熱定着する定着装置と、前記現像ローラから前記感光体に現像剤を供給させるために、直流成分と交流成分とが重畳されてなる現像バイアスを前記現像ローラに印加する制御装置と、を備える画像形成装置であって、前記制御装置が、現像バイアスの交流成分の振幅を第１規定値とする第１モードと、現像バイアスの交流成分の振幅を前記第１規定値よりも大きな第２規定値とする第２モードとを切替可能に構成され、前記定着装置の熱源がＯＦＦとなるモードから印字モードに移行することを条件として、前記第２モードを実行することを特徴とするものであってもよい。
【０００９】
これによれば、定着装置の熱源がＯＦＦとなるモードから印字モードに移行するときに第２モードを実行するので、熱源がＯＦＦとなることにより現像ローラの温度が低くなって印字中に両端部が部分的に感光体から離れてしまった場合であっても、感光体に現像剤を飛ばして移動させることができる。
【発明の効果】
【００１０】
本発明によれば、記録シート幅方向端部の白抜けを抑えることができる。
【図面の簡単な説明】
【００１１】
【図１】本発明の第１の実施形態に係るレーザプリンタを示す説明図である。
【図２】第１の実施形態における各モードでの現像バイアスを示すグラフ（ａ），（ｂ）である。
【図３】各モードでの現像バイアスの変形例を示すグラフ（ａ），（ｂ）である。
【図４】第１の実施形態の制御装置の動作を示すフローチャートである。
【図５】第２の実施形態に係るレーザプリンタを示す説明図である。
【図６】第２の実施形態の制御装置の動作を示すフローチャートである。
【図７】第３の実施形態の制御装置の動作を示すフローチャートである。
【発明を実施するための形態】
【００１２】
＜レーザプリンタの全体構成＞
次に、本発明の実施形態について、適宜図面を参照しながら詳細に説明する。なお、以下の説明においては、まず、画像形成装置の一例としてのレーザプリンタの全体構成を説明した後、本発明の特徴部分を詳細に説明することとする。
【００１３】
以下の説明において、方向は、レーザプリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００１４】
図１に示すように、レーザプリンタ１は、用紙Ｐを装置本体２内に給紙するためのフィーダ部３と、用紙Ｐに画像を形成するための画像形成部４とを備えている。
【００１５】
フィーダ部３は、装置本体２の下部に着脱可能に装着される給紙トレイ３１と、給紙トレイ３１内の用紙Ｐを画像形成部４に向けて給紙する給紙機構３２とを備えている。
【００１６】
画像形成部４は、スキャナユニット５と、プロセスカートリッジ６と、転写ローラＴＲと、定着装置７とを備えている。
【００１７】
スキャナユニット５は、装置本体２内の上部に設けられ、図示しないレーザ発光部、ポリゴンミラー、レンズおよび反射鏡などを備えている。このスキャナユニット５では、レーザビームを、後述する感光体の一例としての感光ドラム８１の表面上に高速走査にて照射する。
【００１８】
プロセスカートリッジ６は、装置本体２に着脱可能であり、感光ドラム８１を有するドラムカートリッジ８と、感光ドラム８１に接触する現像ローラ９１や現像剤の一例としてのトナーを有する現像カートリッジ９とを備えている。現像カートリッジ９は、ドラムカートリッジ８に対して着脱可能となっている。
【００１９】
このプロセスカートリッジ６では、回転する感光ドラム８１の表面が、図示せぬ帯電器により一様に帯電された後、スキャナユニット５からのレーザビームの高速走査により露光される。これにより、露光された部分の電位が下がって、感光ドラム８１の表面に画像データに基づく静電潜像が形成される。
【００２０】
次いで、現像カートリッジ９内のトナーが現像ローラ９１によって担持された後、現像ローラ９１上のトナーが感光ドラム８１の静電潜像に供給されて、感光ドラム８１の表面上にトナー像が形成される。詳しくは、現像ローラ９１に対して制御装置１００から現像バイアスが印加されることで、現像ローラ９１から感光ドラム８１にトナーが供給されるようになっている。なお、現像バイアスの制御については後で詳述する。
【００２１】
その後、感光ドラム８１と転写ローラＴＲの間で用紙Ｐが搬送されることで、感光ドラム８１の表面に担持されているトナー像が用紙Ｐ上に転写される。
【００２２】
定着装置７は、加熱ローラ７１と、加熱ローラ７１と対向して配置され加熱ローラ７１を押圧する加圧ローラ７２とを備えている。そして、このように構成される定着装置７では、用紙Ｐ上に転写されたトナーを、用紙Ｐが加熱ローラ７１と加圧ローラ７２との間を通過する間に熱定着している。
【００２３】
なお、定着装置７で熱定着された用紙Ｐは、定着装置７の下流側に配設される排紙ローラＲに搬送され、この排紙ローラＲから排紙トレイ２１上に送り出される。
【００２４】
＜制御装置＞
次に、制御装置１００について詳細に説明する。
制御装置１００は、例えば、ＣＰＵ、ＲＡＭ、ＲＯＭおよび入出力回路を備えており、温度センサ１１０や湿度センサ１２０からの入力と、印字指令の内容と、ＲＯＭに記憶されたプログラムやデータなどに基づいて各演算処理を行うことによって制御を実行する。
【００２５】
ここで、温度センサ１１０は、現像ローラ９１の近傍に設けられ、現像ローラ９１周りの空気の温度を検知している。また、湿度センサ１２０は、装置本体２内に外気を取り込むための取込口（図示略）の近傍に設けられ、装置本体２外の湿度を検知している。
【００２６】
制御装置１００は、現像ローラ９１から感光ドラム８１にトナーを供給させるために、直流成分と交流成分とが重畳されてなる現像バイアスを現像ローラ９１に印加するように構成されている。そして、制御装置１００は、現像バイアスの交流成分の振幅を第１規定値（ゼロ）とする第１モード（図２（ａ）参照）と、現像バイアスの交流成分の振幅を第１規定値よりも大きな第２規定値Ａ１とする第２モード（図２（ｂ）参照）とを切替可能に構成されている。
【００２７】
つまり、第１モードでは、制御装置１００は、基準となる電圧Ｖ１の直流成分に対して、振幅がゼロとなる交流成分を重畳することで、実質的に、電圧Ｖ１の直流成分のみからなる現像バイアスを現像ローラ９１に印加する。また、第２モードでは、制御装置１００は、基準となる電圧Ｖ１の直流成分に対して、振幅がＡ１となる交流成分を重畳することで、直流成分と交流成分とが重畳されてなる現像バイアスを現像ローラ９１に印加する。
【００２８】
なお、本実施形態では、第１規定値をゼロとしたが、本発明はこれに限定されず、図３（ａ），（ｂ）に示すように、第２規定値Ａ３よりも小さな値を第１規定値Ａ２としてもよい。ここで、第１規定値および第２規定値は、実験やシミュレーション等によって適宜定めることができる。例えば、第１規定値は、現像ローラ９１と感光ドラム８１と間のニップ部（接触部分）よりも搬送方向前側または後側でジャンピング現像によりトナーが現像ローラ９１から感光ドラム８１に飛ばない程度の小さな振幅に設定できる。また、第２規定値は、用紙幅方向端部の白抜けを抑えることができる程度の大きな振幅に設定できる。
【００２９】
そして、制御装置１００は、図４に示すフローチャートに従って、第１モードと第２モードを切り替える制御を実行している。
【００３０】
図４に示すように、制御装置１００は、印字指令を受けたか否かを判断する（Ｓ１）。制御装置１００は、ステップＳ１において印字指令を受けていない場合には（Ｎｏ）、本制御を終了し、印字指令を受けている場合には（Ｙｅｓ）、温度センサ１１０から取得した温度が第１所定値より低いか否かを判断する（Ｓ２）。
【００３１】
ここで、第１所定値は、実験やシミュレーション等によって定めることができる。例えば、第１所定値は、現像ローラ９１の両端部が印字動作中に部分的に感光ドラム８１から離れる可能性があるときの温度に設定しておくことができる。
【００３２】
ステップＳ２において温度が第１所定値よりも低い場合には（Ｙｅｓ）、制御装置１００は、湿度センサ１２０から取得した湿度が第２所定値よりも低いか否かを判断する（Ｓ３）。ここで、第２所定値は、実験やシミュレーション等によって定めることができる。例えば、第２所定値は、現像ローラ９１の両端部が印字動作中に部分的に感光ドラム８１から離れる可能性があるときの湿度に設定しておくことができる。
【００３３】
ステップＳ３において湿度が第２所定値よりも低い場合には（Ｙｅｓ）、制御装置１００は、現像ローラ９１の回転速度が第３所定値以上であるか否かを判断する（Ｓ４）。ここで、現像ローラ９１の回転速度は、例えば図示せぬ回転速度センサから制御装置１００が取得するように構成してもよいし、印字指令の内容（例えば、普通紙印字であるか、厚紙印字であるか）に基づいて回転速度を制御装置で推定するように構成してもよい。
【００３４】
なお、第３所定値は、実験やシミュレーション等によって定めることができる。例えば、第３所定値は、回転速度を徐々に上げていき、用紙幅方向端部の白抜けが発生したときの回転速度に設定することができる。
【００３５】
ステップＳ４において現像ローラ９１の回転速度が第３所定値以上である場合には、制御装置１００は、第２モードを実行する（Ｓ５）。具体的に、ステップＳ５において、制御装置１００は、第２モードを印字制御が終わるまで実行するようになっている。
【００３６】
なお、本実施形態では、第２モードを印字制御が終わるまで実行するようにしたが、本発明はこれに限定されるものではない。例えば、第２モードを所定時間の間だけ実行し、所定時間が経過した後は、残りの印字を第１モードで行ってもよい。また、第２モードを所定枚数分（所定枚数の用紙に対する印字が完了するまでの間）だけ実行し、その後は、残りの枚数分の印字を第１モードで行ってもよい。さらには、現像ローラ９１の回転回数を検知するセンサを設け、現像ローラ９１の回転回数が所定値になるまでの間だけ、第２モードを実行し、その後は、残りの印字を第１モードで行ってもよい。
【００３７】
このように、第２モードを実行する時間を制限することにより、第２モードを無駄に行うことを抑えることができるので、電力を無駄に消費することを抑えることができる。なお、所定時間、所定枚数または所定回転数は、実験やシミュレーションで適宜設定することができる。例えば、用紙幅方向端部の白抜けが発生する環境下において第１モードで印字を行っていき、印字開始から用紙幅方向端部の白抜けが発生しなくなるまでの時間（枚数、回転数）を所定時間（所定枚数、所定回転数）として設定することができる。
【００３８】
また、ステップＳ２において温度が第１所定値以上であるときや（Ｎｏ）、ステップＳ３において湿度が第２所定値以上のときや（Ｎｏ）、ステップＳ４において回転速度が第３所定値未満のときには（Ｎｏ）、制御装置１００は、第１モードを実行する（Ｓ６）。
【００３９】
以上によれば、本実施形態において以下のような効果を得ることができる。
現像ローラ９１の温度が第１所定値よりも低いときには、現像バイアスの交流成分の振幅を第１規定値よりも大きな第２規定値とする第２モード（Ｓ５）へと制御が進む。そのため、第１所定値よりも低い低温度環境下において現像ローラ９１の両端部が部分的に感光ドラム８１から離れた場合には、振幅の大きな交流成分を有する現像バイアスによって現像ローラ９１の両端部から離れた感光ドラム８１に対して公知のジャンピング現像方式を利用してトナーを飛ばして確実に移動させることが可能となる。したがって、低温度環境下における用紙幅方向端部の白抜けを抑えることができる。
【００４０】
前述した温度の条件に加え、装置本体２外の湿度と、現像ローラ９１の回転速度の条件も考慮して、各モードを選択するので、温度以外の条件も加味して用紙幅方向端部の白抜けが発生する状況をより正確に推定することができ、無駄に振幅を大きくして電力を無駄に消費することを抑えることができる。具体的には、湿度が低くなると、乾燥して現像ローラ９１が硬くなって、現像ローラ９１の端部が印字中に部分的に感光ドラムから離れるため、湿度の条件を考慮することで、より用紙幅方向端部の白抜けを抑えることができる。また、現像ローラ９１の回転速度が高くなると、現像ローラ軸の振れ起因の振動が大きくなり、現像ローラ９１の端部が印字中に部分的に感光ドラムから離れるため、回転速度の条件を考慮することで、より用紙幅方向端部の白抜けを抑えることができる。
【００４１】
なお、現像ローラ９１の回転速度が変化する場合としては、例えば制御装置１００が、普通紙を印字する場合には全速（所定の回転速度）で現像ローラ９１を回転させ、厚紙を印字する場合には半速（所定の回転速度よりも低い速度）で現像ローラ９１を回転させる制御を実行する場合などが挙げられる。
【００４２】
第１規定値を０とすることで、第１モードでは直流成分のみの現像バイアスでトナーの供給が行われるので、第１モードにおいて現像ローラ９１と感光ドラム８１とのニップ部の前後でトナーが誤って飛ぶのを抑えることがきる。
【００４３】
［第２の実施形態］
次に、本発明の第２の実施形態について、適宜図面を参照しながら詳細に説明する。なお、本実施形態は、前述した第１の実施形態の構成を一部変更したものであるため、第１の実施形態と同様の構成要素については、同一符号を付し、その説明を省略することとする。
【００４４】
図５に示すように、第２の実施形態に係る制御装置３００は、前述した第１の実施形態の各条件に加え、ユーザによって操作される選択スイッチ３１０からの情報に基づいて、各モードを切り替えるように構成されている。選択スイッチ３１０は、装置本体２の適所、例えば装置本体２の上面前側に設けられている。
【００４５】
選択スイッチ３１０は、第１位置と第２位置とに切替可能なスイッチであり、第２位置に位置するときにＯＮ信号を制御装置３００に出力し、第１位置に位置するときにＯＮ信号を制御装置３００に出力しないように構成される。制御装置３００は、前述した条件を判断する前に（Ｓ２〜Ｓ４）、選択スイッチ３１０から入力された信号がＯＮ信号であるか否かを判断する。そして、制御装置３００は、ＯＮ信号を受けたときに（選択スイッチが第２位置であるときに）条件に従って第２モードを実行し、ＯＮ信号を受けないときに（選択スイッチ３１０が第１位置であるときに）第１モードのみを実行するように構成されている。
【００４６】
言い換えると、選択スイッチ３１０は、第１位置と第２位置に切り替えられることでレーザプリンタ１のステータス（状態）を第１状態（選択スイッチ３１０がＯＦＦされた状態）と第２状態（選択スイッチ３１０がＯＮされた状態）とに切り替えるものである。また、制御装置３００は、ステータスが第１状態であることを条件として第１モードを実行し、ステータスが第２状態であることを条件として第２モードを実行するように構成されている。
【００４７】
なお、本実施形態では、選択スイッチ３１０が第２位置に位置するときに選択スイッチ３１０からＯＮ信号が出力されるとしたが、本発明はこれに限定されず、これとは逆に、選択スイッチ３１０が第１位置に位置するときに選択スイッチ３１０からＯＮ信号が出力されるように設定してもよい。
【００４８】
制御装置３００は、図６に示すフローチャートに基づいて各モードを切り替えている。ここで、図６に示すフローチャートは、第１の実施形態のフローチャート（図４）におけるステップＳ１とステップＳ２の間に、新たなステップＳ１１を加えたものである。
【００４９】
ステップＳ１１では、制御装置３００は、選択スイッチ３１０からＯＮ信号が出力されているか否か、すなわち選択スイッチ３１０が第２位置になっているか否か（第１位置および第２位置のいずれの位置であるか）を判断する。そして、制御装置３００は、選択スイッチ３１０が第２位置である場合には（Ｙｅｓ）、ステップＳ２の処理に移行し、選択スイッチ３１０が第１位置である場合には（Ｎｏ）、通常制御である第１モードを実行する（Ｓ６）。
【００５０】
以上によれば、用紙幅方向端部の白抜けが発生しにくい環境下でレーザプリンタ１を使用する場合には、ユーザが選択スイッチ３１０を第１位置に切り替えておくことで、複数の処理（ステップＳ２〜Ｓ４）を行うことなく、即座に通常モードである第１モードを実行することができる。
【００５１】
［第３の実施形態］
次に、本発明の第３の実施形態について、適宜図面を参照しながら詳細に説明する。なお、本実施形態は、前述した第１の実施形態に係る制御装置１００の制御を変更したものであるため、第１の実施形態と同様の構成要素については、同一符号を付し、その説明を省略することとする。
【００５２】
図７に示すように、第３の実施形態に係る制御装置は、定着装置７の熱源を制御するモードが、ＯＦＦモード（熱源がＯＦＦとなるモード）から印字モード（熱源により加熱ローラ７１の温度を所定の定着温度まで上昇させて当該定着温度に維持するモード）に移行するときに、第２モードを実行するようになっている。ここで、ＯＦＦモードとしては、例えば、レーザプリンタ１の電源が切られることで熱源がＯＦＦとなっているモードや、スリープモード（長時間、レーザプリンタ１を使用しないことにより熱源がＯＦＦとなるモード）などが挙げられる。また、ＯＦＦモードではないモードとしては、前述した印字モードの他、定着温度よりも低いレディ温度で熱源を待機させるレディモードなどが挙げられる。
【００５３】
詳しくは、制御装置は、まず、印字指令を受けたか否かを判断する（Ｓ１）。制御装置は、ステップＳ１において印字指令を受けていない場合には（Ｎｏ）、本制御を終了し、印字指令を受けている場合には（Ｙｅｓ）、前回の熱源の制御モードがＯＦＦモードであるか否かを判断する（Ｓ２１）。
【００５４】
制御装置は、ステップＳ２１において前回の熱源の制御モードがＯＦＦモードである場合には（Ｙｅｓ）、第２モードを実行し（Ｓ５）、ＯＦＦモードでない場合には（Ｎｏ）、第１モードを実行する（Ｓ６）。
【００５５】
以上によれば、前回の熱源の制御モードがＯＦＦモードである場合には、現像ローラ９１の温度が低くなりすぎて用紙幅方向端部の白抜けが発生する可能性があるため、この場合に第２モードを実行することで、用紙幅方向端部の白抜けを抑えることができる。
【００５６】
なお、本発明は前記各実施形態に限定されることなく、以下に例示するように様々な形態で利用できる。
第１の実施形態では、温度、湿度、回転速度の各条件を各モードを切り替えるための条件として利用したが、本発明はこれに限定されず、少なくとも温度の条件だけで各モードを切り替えるようにしてもよい。
【００５７】
前記各実施形態では、感光体として感光ドラム８１を採用したが、本発明はこれに限定されず、例えばベルト状の感光体を採用してもよい。
前記実施形態では、レーザプリンタ１に本発明を適用したが、本発明はこれに限定されず、その他の画像形成装置、例えば複写機や複合機などに本発明を適用してもよい。
【００５８】
前記実施形態では、記録シートの一例として、厚紙、はがき、薄紙などの用紙Ｐを採用したが、本発明はこれに限定されず、例えばＯＨＰシートであってもよい。
【００５９】
前記実施形態では、第１位置と第２位置に切替可能な選択スイッチ３１０を採用したが、本発明はこれに限定されず、例えばタッチパネルのような位置が変化しない選択スイッチ（選択スイッチの位置は同じである一方、画像形成装置のメモリの中でフラグが切り替わる構成）などを採用してもよい。この場合であっても、ユーザの選択スイッチの操作によって画像形成装置のステータスが第１状態（例えばＯＮ状態）と第２状態（例えばＯＦＦ状態）に変わるため、画像形成装置のステータスに応じて制御装置が適宜第１モード・第２モードを切り替えることができる。
【符号の説明】
【００６０】
１      レーザプリンタ
８１    感光ドラム
９１    現像ローラ
１００  制御装置
Ｐ      用紙
【図１】
2012163592.tif 000003
【図２】
2012163592.tif 000004
【図３】
2012163592.tif 000005
【図４】
2012163592.tif 000006
【図５】
2012163592.tif 000007
【図６】
2012163592.tif 000008
【図７】
2012163592.tif 000009